(57)【要約】  着脱不能な記録媒体の記録されている番組を着脱可能な記録媒体に記録する際に要する時間を短縮した番組記録装置を提供する。本発明に係るレコーダ装置（１００）は、記憶部（２８０）に記録されている予約情報が装填されているディスクに記録されており、その予約情報により指定されるコンテンツが記憶部（３４０）に記録されている場合、そのコンテンツを装填されているディスクに記録すると共に、記録したコンテンツを指定する予約情報を記憶部（２８０）から消去するバックエンド制御部（２４０）を備えている。
2011030648.tif 000002
【特許請求の範囲】
【請求項１】
予約情報記録部に記録されている録画予約情報により指定された指定番組を着脱不能な記録媒体に録画する録画手段と、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録手段と、
上記記録手段により上記着脱可能な記録媒体に記録された上記指定番組を指定する録画予約情報を上記予約情報記録部から消去する消去手段と、
を備えていることを特徴とする番組記録装置。
【請求項２】
着脱可能な記録媒体と上記着脱不能な記録媒体上の記録領域とを関連付けて登録する登録手段をさらに備えており、
上記録画予約情報は、予め登録されている着脱可能な記録媒体を番組の録画先として指定するための記録媒体指定情報を含み、
上記録画手段は、上記録画予約情報に含まれる記録媒体指定情報により指定される着脱可能な記録媒体に関連付けられている記録領域に上記指定番組を録画し、
上記記録手段は、上記予約情報記録部に記録されている録画予約情報のうち、上記指定番組を記録する対象となる着脱可能な記録媒体を指定する記録媒体指定情報を含む録画予約情報であって、当該指定番組を指定する録画予約情報が記録されており、当該指定番組が上記着脱不能な記録媒体に記録されている場合、当該指定番組を上記着脱可能な記録媒体に記録することを特徴とする請求項１に記載の番組記録装置。
【請求項３】
上記指定番組を指定する録画予約情報が上記着脱可能な記録媒体に記録されていない場合、上記消去手段は、上記録画予約情報を上記予約情報記録部から消去することを特徴とする請求項１または２に記載の番組記録装置。
【請求項４】
上記指定番組を指定する録画予約情報が上記予約情報記録部に記録されており、当該指定番組が上記着脱不能な記録媒体に記録されておらず、当該指定番組の録画予定日時が現在日時よりも過去の日時である場合、上記消去手段は、上記録画予約情報を上記予約情報記録部から消去することを特徴とする請求項１または２に記載の番組記録装置。
【請求項５】
上記消去手段は、上記記録手段により上記着脱可能な記録媒体に記録された上記指定番組を指定する録画予約情報を、上記予約情報記録部に加えて、上記着脱可能な記録媒体からも消去することを特徴とする請求項１または２に記載の番組記録装置。
【請求項６】
予約情報記録部に記録されている録画予約情報であって、番組を録画する日時情報を複数含む録画予約情報により指定された指定番組を着脱不能な記録媒体に録画する録画手段と、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録手段と、
上記記録情報を上記指定番組を記録した日時を表す記録情報に更新する更新手段と、
を備えていることを特徴とする番組記録装置。
【請求項７】
上記着脱可能な記録媒体は、上記録画予約情報に基づいて録画される番組のうち、上記記録情報よりも前の日時に録画の実行される番組であって、上記着脱不能な記録媒体から記録していない番組を表す要記録情報を記録しており、
上記記録手段は、上記要記録情報により指定される要記録番組を指定する録画予約情報が上記予約情報記録部に記録されており、当該要記録番組が上記着脱不能な記録媒体に記録されている場合、当該要記録番組を上記着脱可能な記録媒体に記録し、
上記更新手段は、上記記録情報の更新に加えて、上記要記録番組を指定する要記録情報を消去することを特徴とする請求項６に記載の番組記録装置。
【請求項８】
上記録画予約情報に基づいて録画される番組のうち、上記着脱不能な記録媒体に録画されていない番組を表す録画失敗情報を記録している録画情報記録部と、
上記録画情報記録部に記録されている録画失敗情報の指定する録画失敗番組を指定する録画予約情報を記録した着脱可能な記録媒体に対して、当該録画失敗情報を上記要記録情報として書き込む書込手段と、
をさらに備えていることを特徴とする請求項７に記載の番組記録装置。
【請求項９】
予約情報記録部に記録されている録画予約情報により指定された指定番組を着脱不能な記録媒体に録画する録画ステップと、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録ステップと、
上記記録ステップにおいて上記着脱可能な記録媒体に記録された上記指定番組を指定する録画予約情報を上記予約情報記録部から消去する消去ステップと、
を含むことを特徴とする番組同期方法。
【請求項１０】
予約情報記録部に記録されている録画予約情報であって、番組を録画する日時情報を複数含む録画予約情報により指定された指定番組を着脱不能な記録媒体に録画する録画ステップと、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録ステップと、
上記記録情報を上記指定番組を記録した日時を表す記録情報に更新する更新ステップと、
を含むことを特徴とする番組同期方法。
【請求項１１】
請求項１、２、６、７および８のいずれか１項に記載の番組記録装置が備えているコンピュータを動作させるプログラムであって、上記コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、録画予約情報に基づいて番組を着脱可能な記録媒体に記録する番組記録装置、当該番組記録装置における番組同期方法に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。【０００３】
ＢＤを初めとする光ディスクを搭載することができるレコーダ装置は、光ディスクよりもさらに大容量のデータを記録することができるハードディスクを内蔵するタイプ（ハイブリッドレコーダ）と、そのようなハードディスクを備えていないタイプ（ストレートレコーダ）とに大別することができる。【０００４】
ストレートレコーダは、録画したコンテンツ（番組）をそのレコーダ装置に装填されている光ディスクに対して記録するため、ビデオデッキなどの従前のレコーダ装置と同様の操作方法でレコーダ装置を操作することができる。しかし、光ディスクが装填されていない場合および装填されている光ディスクのデータ容量が不足している場合には、コンテンツを記録することができないため、コンテンツの記録失敗が多くなる。また、ハードディスクと比較してデータの読み出し速度および書き込み速度が劣る光ディスクを用いるため、ユーザーが操作レスポンスにストレスを感じやすい。【０００５】
ハイブリッドレコーダ（例えば、特許文献１および２）では、光ディスクと比較してデータの読み出し速度および書き込み速度が速いハードディスクを使用した録画および再生が可能であり、ユーザーは操作レスポンスにストレスを感じることは少ない。すなわち、ハイブリッドレコーダでは、上述したストレートレコーダの有する問題点を解決している。【０００６】
しかし、高齢者などのハイブリッドレコーダに不慣れなユーザーにとっては、コンテンツ（番組）がハードディスクに対して記録されるという概念が判り難いため、ハイブリッドレコーダの操作方法が理解できないことが多い。また、他装置においてコンテンツを再生する場合には、ハードディスクに記録されているコンテンツを光ディスクにコピーするという処理が生じる。この場合、ユーザーがコンテンツを記録する光ディスクを選択してレコーダ装置に装填する必要があるため、ユーザーの意図しない光ディスクに対してコンテンツを記録してしまうなどのミスが生じるという問題を有している。【０００７】
特許文献３には、指定の光ディスクが装填されていないときには、コンテンツをハードディスクに記録しておき、指定の光ディスクがドライブに装填されたときに、ハードディスクに記録しておいたコンテンツを指定の光ディスクにダビングするハイブリッドレコーダ装置が開示されている。
【先行技術文献】
【特許文献】
【０００８】
【特許文献１】日本国公開特許公報「特開２００７−２３４１３７号公報（平成１９年９月１３日公開）」
【特許文献２】日本国公開特許公報「特開２００５−５０３９５号公報（平成１７年２月２４日公開）」
【特許文献３】日本国公表特許公報「特表２００７−５１７３４４号公報（平成１９年６月２８日公表）」
【特許文献４】日本国公開特許公報「特開２００１−３５６９４９号公報（平成１３年１２月２６日公開）」
【発明の概要】
【発明が解決しようとする課題】
【０００９】
特許文献３に記載のハイブリッドレコーダ装置によれば、指定された光ディスクが装填されているか否かに係わらず予約録画を実行することができる。しかしながら、指定された光ディスクが装填されていなければ、指定された光ディスクに対して予約録画以外の処理を実行することはできない。【００１０】
また、特許文献３に記載のハイブリッドレコーダ装置では、光ディスクが装填されていないときにハードディスクに記録しておいたコンテンツを、指定の光ディスクが装填されたときに光ディスクに対して記録する処理が生じる。このように２つのデバイス間で記録されているデータの同期をとる処理は、通常、一方のデバイスに記録されているデータともう一方のデバイスに記録されているデータとを比較し、その差分を一方のデバイスに記録することにより実行する（例えば、特許文献４を参照）。すなわち、特許文献３に記載されているハイブリッドレコーダ装置は、ハードディスクに記録されているコンテンツと光ディスクに記録されているコンテンツを比較することにより、ハードディスクに記録されているコンテンツのうちから光ディスクに記録されていないコンテンツを検出し、検出したコンテンツを光ディスクに記録することにより、予約録画したコンテンツを光ディスクに記録することになる。【００１１】
しかし、このようにコンテンツ同士を比較する場合、コンテンツの比較に時間を要するという問題を有している。また、光ディスクに記録されていたコンテンツを他の装置において消去した場合には、再度コンテンツが記録されてしまうという問題も有している。【００１２】
本発明は、上記の課題に鑑みてなされたものであり、その主たる目的は、着脱不能な記録媒体の記録されている番組を着脱可能な記録媒体に記録する際に要する時間を短縮した番組記録装置を提供することである。
【課題を解決するための手段】
【００１３】
本発明に係る第１の番組記録装置は、上記課題を解決するために、
予約情報記録部に記録されている録画予約情報により指定された指定番組を着脱不能な記録媒体に録画する録画手段と、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録手段と、
上記記録手段により上記着脱可能な記録媒体に記録された上記指定番組を指定する録画予約情報を上記予約情報記録部から消去する消去手段と、
を備えていることを特徴としている。【００１４】
本発明に係る第１の番組記録装置では、予約情報記録部に記録されている録画予約情報が着脱可能な記録媒体に記録されており、その録画予約情報により指定される指定番組が着脱不能な記録媒体に記録されている場合、その指定番組を着脱可能な記録媒体に記録する。【００１５】
このように、本発明に係る第１の番組記録装置では、予約情報記録部に記録されている録画予約情報と、着脱可能な記録媒体に記録されている録画予約情報とが一致するか否かを判定することにより、着脱可能な記録媒体に記録するべき番組を検出している。【００１６】
ここで、予約情報記録部に記録されている録画予約情報に一致する録画予約情報が着脱可能な記録媒体に記録されているか否かを判定するために要する時間は、番組（コンテンツ）のデータ自体を比較する場合に要する時間と比較して短い。【００１７】
したがって、本発明に係る第１の番組記録装置では、着脱不能な記録媒体に記録されている番組を着脱可能な記録媒体に記録する際に要する時間を短縮することができる効果を奏する。【００１８】
また、本発明に係る第１の番組記録装置では、着脱可能な記録媒体に記録された指定番組を指定する録画予約情報を予約情報記録部から消去する。これによって、本発明に係る第１の番組記録装置では、既に着脱可能な記録媒体に記録された番組が再度記録されてしまうことを容易に回避することができる効果も併せて奏する。【００１９】
また、本発明に係る番組同期方法は、上記課題を解決するために、
予約情報記録部に記録されている録画予約情報により指定された指定番組を着脱不能な記録媒体に録画する録画ステップと、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録ステップと、
上記記録ステップにおいて上記着脱可能な記録媒体に記録された上記指定番組を指定する録画予約情報を上記予約情報記録部から消去する消去ステップと、
を含むことを特徴としている。【００２０】
上記の構成によれば、本発明に係る第１の番組記録装置と同様の作用効果を奏する。【００２１】
本発明に係る第２の番組記録装置は、上記課題を解決するために、
予約情報記録部に記録されている録画予約情報であって、番組を録画する日時情報を複数含む録画予約情報により指定された指定番組を着脱不能な記録媒体に録画する録画手段と、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録手段と、
上記記録情報を上記指定番組を記録した日時を表す記録情報に更新する更新手段と、
を備えていることを特徴としている。【００２２】
本発明に係る第２の番組記録装置では、予約情報記録部に記録されている録画予約情報が着脱可能な記録媒体に記録されており、その録画予約情報により指定される指定番組が着脱不能な記録媒体に記録されており、かつ、その指定番組の録画実行日時が記録情報の表す日時よりも後である場合、その指定番組を着脱可能な記録媒体に記録する。【００２３】
このように、本発明に係る第２の番組記録装置では、予約情報記録部に記録されている録画予約情報と、着脱可能な記録媒体に記録されている録画予約情報とが一致するか否かを判定すると共に、指定番組の録画実行日時が記録情報の表す日時よりも後であるか否かを判定することにより、着脱可能な記録媒体に記録するべき番組を検出している。【００２４】
ここで、予約情報記録部に記録されている録画予約情報に一致する録画予約情報が着脱可能な記録媒体に記録されているか否かを判定すると共に、指定番組の録画実行日時が記録情報の表す日時よりも後であるか否かを判定するために要する時間は、番組のデータ自体を比較する場合に要する時間と比較して短い。【００２５】
したがって、本発明に係る第２の番組記録装置は、着脱不能な記録媒体に記録されている番組を着脱可能な記録媒体に記録する際に要する時間を短縮することができる効果を奏する。【００２６】
また、本発明に係る第２の番組記録装置では、着脱可能な記録媒体に記録されている記録情報を指定番組を記録した日時に更新する。これによって、本発明に係る第２の番組記録装置では、既に着脱可能な記録媒体に記録された番組が再度記録されてしまうことを容易に回避することができる効果も併せて奏する。【００２７】
本発明に係る番組同期方法は、上記課題を解決するために、
予約情報記録部に記録されている録画予約情報であって、番組を録画する日時情報を複数含む録画予約情報により指定された指定番組を着脱不能な記録媒体に録画する録画ステップと、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録ステップと、
上記記録情報を上記指定番組を記録した日時を表す記録情報に更新する更新ステップと、
を含むことを特徴としている。【００２８】
上記の構成によれば、本発明に係る第２の番組記録装置と同様の作用効果を奏する。
【発明の効果】
【００２９】
本発明に係る第１の番組記録装置は、予約情報記録部に記録されている録画予約情報が着脱可能な記録媒体に記録されており、録画予約情報により指定される指定番組が着脱不能な記録媒体に記録されている場合、指定番組を着脱可能な記録媒体に記録する。【００３０】
これによって、本発明に係る第１の番組記録装置は、番組データ自体を比較することにより記録する番組を検出する場合と比較して、着脱不能な記録媒体に記録されている番組を着脱可能な記録媒体に記録する際に要する時間を短縮することができる効果を奏する。【００３１】
また、本発明に係る第２の番組記録装置は、予約情報記録部に記録されている録画予約情報が着脱可能な記録媒体に記録されており、録画予約情報により指定される指定番組が着脱不能な記録媒体に記録されており、かつ、指定番組の録画実行日時が記録情報の表す日時よりも後である場合、当該指定番組を着脱可能な記録媒体に記録する。【００３２】
ここで、第２の番組記録装置も、予約情報記録部に記録されている録画予約情報が着脱可能な記録媒体に記録されており、録画予約情報により指定される指定番組が着脱不能な記録媒体に記録されている場合に指定番組を着脱可能な記録媒体に記録する点では第１の番組記録装置と同一である。【００３３】
すなわち、本発明に係る第２の番組記録装置でも、番組データ自体を比較することにより記録する番組を検出する場合と比較して、着脱不能な記録媒体に記録されている番組を着脱可能な記録媒体に記録する際に要する時間を短縮することができる効果を奏する。【００３４】
また、本発明に係る第１の番組記録装置および第２の番組記録装置のいずれであっても、既に着脱可能な記録媒体に記録された番組が再度記録されてしまうことを容易に回避することができる効果も併せて奏する。
【図面の簡単な説明】
【００３５】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示し、（ｂ）は初期化処理後の記憶部を模式的に示している。
【図３】光ディスクの登録処理を示す図であり、（ａ）は光ディスクの登録処理の際の表示装置における表示の一例を示し、（ｂ）は光ディスクの登録処理後の記憶部を模式的に示している。
【図４】実施形態に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図５】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図６】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図７】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図８】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１２】領域１に記録されていたコンテンツ１およびコンテンツ２を削除した後に、新たにコンテンツ４を録画したときの記憶部およびディスク１の状態を示す図である。
【図１３】コンテンツ４を録画した際の各記憶部の状態を示す図であり、（ａ）は領域１におけるコンテンツの記録状態に対応するディスク１の記録状態の対応関係を示し、（ｂ）はコンテンツ４を記録した際のマップテーブルを示す図であり、（ｃ）はコンテンツ４を記録した際のタイトル管理テーブルを示している。
【図１４】コンテンツ１〜３を記録したディスク１が搭載されている場合の各記憶部の状態を示す図である。
【図１５】マイディスクが搭載されている場合において、再生時にコンテンツが読み出される媒体を模式的に示した図である。
【図１６】ドライブ部に光ディスクが搭載されていない場合の各記憶部の状態を示す図である。
【図１７】マイディスクが搭載されていない場合において、再生時にコンテンツが読み出される媒体を模式的に示した図である。
【図１８】マイディスクが搭載されている場合において、コンテンツが編集される媒体を模式的に示した図である。
【図１９】コンテンツが編集される媒体を模式的に示した図であり、（ａ）はディスク１が搭載されていないときの編集対象となる媒体を示しており、（ｂ）はディスク１が搭載されたときの変更箇所のディスク１への反映を示している。
【図２０】実施形態に係るレコーダ装置におけるメモリ内コピー処理を示す図であり、（ａ）は、メモリ内コピー処理後の記憶部の状態を示し、（ｂ）はメモリ内コピー処理後の記憶部におけるタイトル管理領域の状態を示している。
【図２１】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２２】表示装置におけるタイトル管理テーブルの情報を模式的に示す図である。
【図２３】実施形態に係るレコーダ装置における同期処理の詳細を示すフローチャートである。
【図２４】実施形態に係るレコーダ装置における同期処理前の予約情報およびコンテンツの状態を示す図である。
【図２５】実施形態に係るレコーダ装置における同期処理後の予約情報およびコンテンツの状態を示す図である。
【図２６】実施形態に係るレコーダ装置におけるスケジュール予約により記録されたコンテンツの同期処理前の予約情報およびコンテンツの状態を示す図である。
【図２７】実施形態に係るレコーダ装置におけるスケジュール予約により記録されたコンテンツの同期処理後の予約情報およびコンテンツの状態を示す図である。
【発明を実施するための形態】
【００３６】
本発明に係るレコーダ装置（番組記録装置）の一実施形態を、図１〜図２７を参照しつつ以下に説明する。ここで、本実施形態に係るレコーダ装置における同期処理について説明するに先立って、本実施形態に係るレコーダ装置の構成および当該レコーダ装置の動作の概要を、図１〜図２２を参照して説明する。
【００３７】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなどの着脱可能な記録媒体にデータを書き込むドライブ装置一般に適用することができる。
【００３８】
本発明に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００３９】
＜レコーダ装置１００の構成＞
本実施形態に係るレコーダ装置の構成について、図１を参照しつつ以下に説明する。図１は、レコーダ装置１００の要部構成を示すブロック図である。
【００４０】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４１】
ドライブ部３００は、従来の光ディスクドライブ装置が備えている機能に加え、以下の機能を新規な機能として有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００４２】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４３】
ドライブ部３００は、図１に示すように、インターフェース部３１０、ドライブ制御部３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００４４】
本明細書等では、記憶部３４０における各領域に対して対応付けられた光ディスク、すなわち自身の有するメディアＩＤが記憶部３４０に記録されている光ディスクを「マイディスク」と称する。
【００４５】
バックエンド部２００およびドライブ部３００の備える各部材について、以下に説明する。
【００４６】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４７】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４８】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４９】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００５０】
（バックエンド制御部２４０）
バックエンド制御部２４０は、レコーダ装置１００におけるコンテンツデータの記録および再生全般を制御する。
【００５１】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００５２】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５３】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５４】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５５】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５６】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００５７】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００５８】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００５９】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６０】
なお、本実施形態では、インターフェース部２９０、３１０がＳＡＴＡである場合を例に挙げて説明する。
【００６１】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６２】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６３】
インターフェース部２９０、３１０がＡＴＡインターフェースである場合、バックエンド制御部２４０からの書き込み命令および読み出し命令は、ＡＴＡコマンドとなる。
【００６４】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３２０に出力するようにしてもよい。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００６５】
なお、これは書き込み命令に限るものではなく、読み出し命令についても同様である。
【００６６】
（ディスクドライブ部３３０）
ディスクドライブ部３３０は、ドライブ制御部３２０からの指示に基づいて動作し、装填されている光ディスクからのデータの読み出し、または光ディスクに対するデータの書き込みを実行する。
【００６７】
ディスクドライブ部３３０は、装填されている光ディスクからデータを読み出したり、光ディスク対してデータを書き込んだりするための光ピックアップ部などを備えている。
【００６８】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６９】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００７０】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２の（ａ）および（ｂ）および図３の（ａ）および（ｂ）を参照して説明する。レコーダ装置１００における事前設定は、記憶部３４０の初期化処理と、記憶部３４０に対する光ディスクの登録処理の２つに大別することができる。
【００７１】
＜記憶部３４０の初期化処理＞
記憶部３４０の初期化処理について、図２の（ａ）および（ｂ）を参照しつつ説明する。図２の（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００７２】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７３】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２の（ａ）に示すような画像を表示することが好ましい。
【００７４】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００７５】
図２の（ｂ）は、初期化処理後の記憶部３４０を示している。図２の（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７６】
管理領域は、図２の（ｂ）に示すように、領域１〜領域ｎを管理するマイディスク管理領域と、マイディスク管理領域を管理するメモリ管理領域と、に分けることができる。
【００７７】
マイディスク管理領域には、領域１〜領域ｎの各領域を管理する管理情報が記録されている。図２の（ｂ）では、便宜上、領域１を管理する管理情報の記録されている領域を「エントリ１」と称し、以下同様に領域２〜ｎを管理する管理情報の記録されている領域をエントリ２〜ｎと称する。
【００７８】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００７９】
「エントリ番号」は、いずれの領域を管理するのかを示す情報である。例えば、エントリ１は、領域１を管理する管理情報であるため、エントリ番号としては「１」を示す情報が記録されている。
【００８０】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８１】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８２】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００８３】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８４】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００８５】
また、メモリ管理領域には、図２の（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８６】
なお、記憶部３４０を領域１〜領域ｎに仮想的に分割した時に生じる余りの領域を予備領域として活用するようにしてもよい。
【００８７】
＜光ディスクの登録処理＞
次に、記憶部３４０に対する光ディスクの登録処理について、図３の（ａ）および（ｂ）を参照しつつ説明する。図３の（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００８８】
光ディスクの登録処理とは、記憶部３４０において仮想的に分割されている各領域を管理するエントリに対して、光ディスクのメディアＩＤを記録する処理である。
【００８９】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９０】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９１】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００９２】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００９３】
なお、メディアＩＤをエントリに記録する際には、表示装置に図３の（ａ）に示すような画像を表示するようにすることが好ましい。
【００９４】
図３の（ｂ）は、メディアＩＤ「ａａａ」を有する光ディスクをエントリ１に記録した場合における光ディスクの登録後の記憶部３４０の状態を示している。
【００９５】
光ディスクのメディアＩＤをエントリ１に記録した場合、図３の（ｂ）に示すように、光ディスクはエントリ１により管理される領域１に対して対応付けられることになる。
【００９６】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００９７】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００９８】
レコーダ装置１００におけるコンテンツ録画動作について、図４の（ａ）〜（ｃ）〜図１３の（ａ）〜（ｃ）を参照して以下に説明する。なお、ここでは、コンテンツ録画動作として、予約録画処理を例に挙げて説明する。
【００９９】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１００】
（予約登録処理）
まず、レコーダ装置１００における予約登録処理について、図４の（ａ）〜（ｃ）を参照しつつ以下に説明する。図４の（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０１】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１０２】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４の（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１０３】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４の（ｂ））。このとき、ディスク１には、既にメディアＩＤは記録されているため、メディアＩＤについては記録しなくてもよい。
【０１０４】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１０５】
図４の（ｃ）には、記憶部３４０の領域１に対応付けられたディスク１を装填している場合に予約登録した際の表示装置に表示する画像の一例を示している。
【０１０６】
このようにレコーダ装置１００における予約登録処理では、予約情報がバックエンド部２００における記憶部２８０に記録されると共に、装填されているマイディスクに対しても記録される。すなわち、マイディスクにも予約情報を記録しておくための予約情報記録領域が設けられている。
【０１０７】
（マイディスクからの予約情報の登録）
レコーダ装置１００は、上述したように自装置において予約登録する以外にも、他装置においてマイディスクに記録された予約情報を取得することにより予約登録を実行することもできる。
【０１０８】
装填されたマイディスクに記録されている予約情報のなかに、レコーダ装置１００の記憶部２８０に記録されていない予約情報が記録されている場合、レコーダ装置１００はその予約情報をマイディスクから読み出して、記憶部２８０の予約情報管理領域に記録する。これによって、他装置において予約登録処理がなされた場合であっても、マイディスクに記録されている予約情報と、レコーダ装置１００に記録されている予約情報は常に一致することになる。
【０１０９】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５の（ａ）および（ｂ）を参照しつつ以下に説明する。図５の（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１１０】
レコーダ装置１００はコンテンツ１の録画が完了すると、図５の（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１１１】
次に、コンテンツ１を記憶部３４０の領域１およびディスク１に記録した際の記憶部３４０および記憶部２８０の状態について図６の（ａ）〜（ｃ）を参照しつつ以下に説明する。図６の（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１２】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１３】
図６の（ａ）には、記憶部３４０の領域１における仮想ディスクイメージを示している。図６の（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１４】
続いて、図６の（ａ）において示した物理アドレスと仮想アドレスとの関連付けを実現するためのマップテーブルについて、図６の（ｂ）を参照しつつ説明する。
【０１１５】
マップテーブルは、記憶部３４０のマイディスク管理領域におけるマップ情報として記録されている。マップテーブルは、図６の（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１６】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１７】
マップテーブルは、コンテンツ１が領域１に記録されると共に内容が更新される。記憶部３４０の領域１が図６の（ａ）に示す状態である場合のマップテーブルを、図６の（ｂ）に示す。図６の（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１８】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１１９】
なお、図６の（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１２０】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６の（ｃ）を参照して説明する。なお、タイトル管理領域は、記憶部３４０において仮想的に分割されている領域の数だけ記憶部２８０に設けられている。
【０１２１】
タイトル管理テーブルには、図６の（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２２】
図６の（ｂ）に示したマップテーブルを設定したときのタイトル管理テーブルの一例を、図６の（ｃ）に示している。このとき、タイトル１における残りダビング回数は、コンテンツ１をディスク１へ記録したため、残り１０回から１回減算されて「９」回となっている。
【０１２３】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７の（ａ）および（ｂ）を参照しつつ以下に説明する。図７の（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２４】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド部２００からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１２５】
ここで、図７の（ｂ）に示すように、レコーダ装置１００では、マイディスクが装填されていた場合と異なり、コンテンツ２の録画が終了してもバックエンド制御部２４０は記憶部２８０における予約情報管理領域からコンテンツ２の予約録画を示す予約情報を消去しない。
【０１２６】
次に、コンテンツ２を記憶部３４０の領域１に記録した際の記憶部３４０および記憶部２８０の状態について図８の（ａ）〜（ｃ）を参照しつつ以下に説明する。図８の（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１２７】
図８の（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２８】
コンテンツ２が領域１に記録されると共に、記憶部３４０のエントリ１におけるマップ情報に記録されているマップテーブルも更新される。記憶部３４０の領域１が図８の（ａ）に示す状態のマップテーブルを、図８の（ｂ）に示す。図８の（ｂ）に示すように、図６の（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１２９】
また、図８の（ｃ）には、図８の（ｂ）に示したマップテーブルが設定されたときのタイトル管理テーブルの一例を示している。図８の（ｃ）に示すように、タイトル管理テーブルでは、図６の（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１３０】
（コンテンツの同期処理）
次に、記憶部３４０に記録されたコンテンツであってマイディスクに対して記録されていないコンテンツを、マイディスクに対して記録する同期処理について、図９〜図１１の（ａ）〜（ｃ）を参照して以下に説明する。
【０１３１】
ディスク１がドライブ部３００に装填されると、バックエンド制御部２４０は、ディスク１に対して同期を実行すべきコンテンツ（同期対象コンテンツ；図９におけるコンテンツ２）が記憶部３４０に記録されているか否かを判定する。同期対象コンテンツの判定方法の詳細は、本発明の最大の特徴点であるため、下記に参照する図面を変えて詳細に説明するため、ここでは説明を省略する。
【０１３２】
バックエンド制御部２４０は、同期対象コンテンツが存在すると判定した場合、同期対象コンテンツを読み出すようにドライブ制御部３２０に対して指示する。ドライブ制御部３２０は、同期対象コンテンツを記憶部３４０から読み出してバックエンド部２００に出力する。バックエンド制御部２４０は、読み出された同期対象コンテンツをディスク１に記録する（書き出す）ようにドライブ制御部３２０に対して指示する。
【０１３３】
指示を受けたドライブ制御部３２０は、バックエンド部２００から出力される同期対象コンテンツをディスク１に記録するようにディスクドライブ部３３０に対して指示する。
【０１３４】
ディスクドライブ部３３０は、同期対象コンテンツをディスク１に記録する。これによって、記憶部３４０の領域１に記録されているコンテンツ（コンテンツ１およびコンテンツ２）がいずれもディスク１にも記録されている状態になる（図９）。
【０１３５】
ドライブ制御部３２０は、ディスク１に対する同期対象コンテンツの記録が完了すると、バックエンド部２００に対して同期対象コンテンツの記録処理が完了したことを通知する。バックエンド制御部２４０は、この通知を受けて、記憶部２８０におけるディスク１のタイトル管理領域に記録されているタイトル管理テーブルを更新する。また、バックエンド制御部２４０は、記憶部２８０の予約情報管理領域に記録されている同期対象コンテンツの予約情報を消去する（図９）。
【０１３６】
また、ドライブ制御部３２０は、ディスク１に対する同期対象コンテンツの記録が完了すると、ディスクドライブ部３３０に対して、ディスク１に記録されている同期対象コンテンツを予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０、記憶部２８０およびディスク１の状態を示す図である。
【０１３７】
次に、記憶部３４０の領域１に記録されていたコンテンツ２（同期対象コンテンツ）をディスク１に同期した際の記憶部３４０および記憶部２８０の状態について図１０の（ａ）〜（ｃ）を参照しつつ以下に説明する。図１０の（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３８】
図１０の（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１３９】
コンテンツ２の同期処理が完了すると、図１０の（ｂ）に示すように、エントリ１のマップ情報に記録されているマップテーブルの同期フラグが、コンテンツがマイディスクに記録されていることを表す「１」となる。また、図１０の（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１４０】
次に、ディスク１において「０ｘ２５０」を先頭アドレスとするコンテンツ（コンテンツ３）が既に記録されている場合のコンテンツ２の同期処理について、図１１の（ａ）〜（ｄ）を参照して以下に説明する。
【０１４１】
図１１の（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１４２】
図１１の（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１４３】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４４】
このとき、領域１のマップテーブルについても、図１１の（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４５】
同様に、図１１の（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１４６】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１４７】
図１２は、領域１に記録されていたコンテンツ１およびコンテンツ２を削除した後に、新たにコンテンツ４を録画したときの記憶部３４０およびディスク１の状態を示す図である。なお、図１２は、マイディスクが装填されている状態での録画のため、コンテンツ４はディスク１に対しても記録されている。
【０１４８】
図１２に示す状態、すなわちコンテンツ１およびコンテンツ２を領域１から削除した後に領域１にコンテンツ４を記録したときの記憶部３４０および記憶部２８０の状態について図１３の（ａ）〜（ｃ）を参照しつつ以下に説明する。図１３の（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１４９】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１３の（ａ）に示すように、コンテンツ１およびコンテンツ２は、仮想ディスクイメージ上においては消去されることなく残されている。すなわち、図１３の（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１５０】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１５１】
また、図１３の（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１５２】
＜コンテンツ再生動作＞
次に、レコーダ装置１００におけるコンテンツの再生動作について、図１４〜図１７を参照しつつ以下に説明する。
【０１５３】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１５４】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１５５】
（マイディスクが装填されている場合の再生処理）
マイディスクが装填されている場合の再生処理について、図１４および図１５を参照して以下に説明する。図１４は、コンテンツ１〜３を記録したディスク１が装填されている場合の記憶部３４０および記憶部２８０の状態を示す図である。図１５は、マイディスクが装填されている場合において、再生時にコンテンツが読み出される媒体を模式的に示した図である。
【０１５６】
図１４に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１４では、タイトル管理テーブルの詳細については省略して示している。
【０１５７】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１５８】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１５９】
領域１からコンテンツ１を読み出したドライブ制御部３２０は、読み出したコンテンツ１を、インターフェース部３１０を介してバックエンド部２００に出力する。
【０１６０】
このように、読み出しの対象となるコンテンツがマイディスクにも記憶部３４０にも記録されている場合、図１５に示すように、コンテンツは記憶部３４０から読み出される。
【０１６１】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１６２】
ディスク１からコンテンツ３が読み出されると、ドライブ制御部３２０は、読み出したコンテンツ３を、インターフェース部３１０を介してバックエンド部２００に出力する。
【０１６３】
このように、読み出しの対象となるコンテンツが記憶部３４０に記録されていない場合、図１５に示すように、コンテンツはマイディスクから読み出される。
【０１６４】
（マイディスクが装填されていない場合の再生処理）
続いて、マイディスクが装填されていない場合の再生処理について、図１６および図１７を参照して以下に説明する。図１６は、ドライブ部３００に光ディスクが装填されていない場合の記憶部３４０および記憶部２８０の状態を示す図である。図１７は、マイディスクが装填されていない場合において、再生時にコンテンツが読み出される媒体を模式的に示した図である。
【０１６５】
図１６に示すように、記憶部３４０の領域１には、コンテンツ１およびコンテンツ２が記録されている。しかし、図１４の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、図１４と同様に、タイトル管理テーブルの詳細については省略して示している。
【０１６６】
図１６に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１６７】
すなわち、図１７に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１６８】
なお、図１７に示すコンテンツ１の読み出し処理は、マイディスクが装填されている場合におけるコンテンツ１の読み出し処理と同様であるため、ここでは説明を省略する。
【０１６９】
＜コンテンツ編集動作＞
次に、レコーダ装置１００におけるコンテンツの編集動作について、図１８および図１９の（ａ）および（ｂ）を参照しつつ以下に説明する。
【０１７０】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１７１】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１７２】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１７３】
（マイディスクが装填されている場合の編集処理）
マイディスクが装填されている場合の編集処理について、図１４および図１８を参照して以下に説明する。図１８は、マイディスクが装填されている場合において、コンテンツが編集される媒体を模式的に示した図である。
【０１７４】
図１４に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１４では、タイトル管理テーブルの詳細については省略して示している。
【０１７５】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１７６】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１７７】
このように、データを変更する対象となるコンテンツがマイディスクにも記憶部３４０にも記録されている場合、図１８に示すように、記憶部３４０に記録されているコンテンツのデータが変更されることになる。
【０１７８】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１７９】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１８０】
（マイディスクが装填されていない場合の編集処理）
続いて、マイディスクが装填されていない場合のコンテンツの編集処理について、図１６および図１９の（ａ）および（ｂ）を参照して以下に説明する。図１９の（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１８１】
図１６に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１８２】
すなわち、図１９の（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１８３】
＜コンテンツコピー動作＞
次に、レコーダ装置１００におけるコンテンツのコピー動作について、図２０の（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２０の（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１８４】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１８５】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２０の（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１８６】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２０の（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１８７】
なお、図２０の（ａ）に示すように、ディスク２はドライブ部３００に装填されていないため、領域２に記録されているコンテンツ２の同期状態は、未同期を表す情報である。
【０１８８】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１８９】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１９０】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１９１】
ここで、光ディスクのファイルシステムを利用したデータ管理について、図２１の（ａ）〜（ｃ）を参照しつつ以下に説明する。図２１の（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１９２】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１９３】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２１の（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１９４】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１９５】
なお、図２１の（ａ）には、ディスク１に関するファイルシステムについてのみ示しているが、記憶部２８０のファイルシステム管理領域には、マイディスクとして登録されているディスクの数だけファイルシステムが記録されている。
【０１９６】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１９７】
さらに、図２１の（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１９８】
このように、記憶部３４０に記録されているマップ情報は、本実施形態ではコンテンツごとの配置情報として示しているが、より正確には、図２１の（ｃ）に示すように、領域（ファイル）ごとの配置情報を示すものである。
【０１９９】
また、マイディスクの登録解除の際には、ファイルシステム管理領域に記録されているファイルシステムについても、タイトル管理情報と併せて削除される。
【０２００】
＜表示装置における表示例＞
最後に、レコーダ装置１００に接続された表示装置におけるコンテンツとタイトルリストに記録されている情報との表示例について、図２２を参照しつつ以下に説明する。図２２は、表示装置５００上でのコンテンツおよびタイトルリストに記録されている情報の表示を概略的に示す図である。
【０２０１】
操作入力部を介してユーザーがタイトルリストの表示をレコーダ装置１００に対して指示すると、表示装置５００では、タイトルリストおよびコンテンツが図２２に示すように表示される。
【０２０２】
すなわち、図２２に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０２０３】
タイトルリスト表示部５２０には、図２２に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２０４】
図２２では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２０５】
（同期対象コンテンツの判定方法の詳細）
次に、レコーダ装置１００における同期処理の対象となるコンテンツの判定方法の詳細について図２３を参照しつつ以下に説明する。図２３は、レコーダ装置１００における同期処理の詳細を示すフローチャートである。なお、以下の実施形態において記憶部２８０に記録されている情報および記憶部３４０に記録されているコンテンツは、装填されているマイディスクに対応する記憶部２８０の領域および記憶部３４０の領域から読み出すものとする。
【０２０６】
まず、マイディスクがドライブ部３００に装填されると、バックエンド制御部２４０は、記憶部２８０の予約情報管理領域から予約情報を１つ選択する（ステップＳ１）。バックエンド制御部２４０は、選択した予約情報に一致する予約情報がマイディスク上に記録されているか否かを判定する（ステップＳ２）。これは、レコーダ装置１００において録画されたあるコンテンツを指定する指定情報がマイディスクに記録されているか否かを判定していると換言することができる。
【０２０７】
選択した予約情報に一致する予約情報がマイディスクに記録されている場合（ステップＳ２においてＹｅｓ）、バックエンド制御部２４０は、選択した予約情報により指定されるコンテンツをドライブ部３００の記憶部３４０から読み出す。そして、バックエンド制御部２４０は、読み出されたコンテンツをマイディスクに記録するようにドライブ制御部３２０に対して指示する。指示を受けたドライブ制御部３２０は、マイディスクにコンテンツを記録する（ステップＳ３）。ドライブ制御部３２０は、マイディスクへのコンテンツの記録が完了すると、マイディスクに記録したコンテンツを記憶部３４０から消去する（ステップＳ４）。
【０２０８】
一方、選択した予約情報に一致する予約情報がマイディスクに記録されていない場合（ステップＳ２においてＮｏ）、バックエンド制御部２４０は、ドライブ部３００のドライブ制御部３２０に対して選択した予約情報により指定されるコンテンツの消去を指示する。指示を受けたドライブ制御部３２０は、記憶部３４０からコンテンツを消去する（ステップＳ５）。
【０２０９】
続いて、バックエンド制御部２４０は、選択した予約情報を記憶部２８０の予約情報管理領域から消去する（ステップＳ６）。
【０２１０】
そして、記憶部２８０の予約情報管理領域に記録されている、装填されているマイディスクに関する全ての予約情報に対する処理が終了すると（ステップＳ７においてＹｅｓ）、バックエンド制御部２４０はコンテンツの同期処理を終了する。記憶部２８０の予約情報管理領域に記録されている、装填されているマイディスクに関する全ての予約情報に対する処理が終了していない場合には（ステップＳ７においてＮｏ）、バックエンド制御部２４０は次の予約情報を選択して、ステップＳ２からの処理を再度実行する。
【０２１１】
なお、上述した同期処理では、マイディスクに記録したコンテンツを記憶部３４０から消去するようにしているがもちろん消去しないようにしてもよい。
【０２１２】
（レコーダ装置１００の利点）
以上説明したように、レコーダ装置１００では、記憶部２８０に記録されている予約情報と、装填されているマイディスクに記録されている予約情報とが一致するか否かを判定することにより、同期処理するべきコンテンツを検出している。
【０２１３】
ここで、記憶部２８０に記録されている予約情報に一致する予約情報がマイディスクにに記録されているか否かを判定するために要する時間は、コンテンツのストリーム自体を比較する場合に要する時間と比較して短い。
【０２１４】
したがって、レコーダ装置１００では、記憶部３４０に記録されているコンテンツを装填されているマイディスクに記録する際に要する時間（すなわち、同期処理に要する時間）を短縮することができる。
【０２１５】
さらに、同期されたコンテンツを指定する予約情報を記憶部２８０から消去しておくことにより、既にマイディスクに記録したコンテンツが再度記録されてしまうことを容易に回避することができる。また、マイディスク上からも同期したコンテンツを指定する予約情報を消去しておくことにより、他のレコーダ装置において既に記録したコンテンツが再度記録されてしまうことを避けることができる。また、マイディスクにおいて予約情報を記録しておく領域が一杯になることを避けることができる。
【０２１６】
また、レコーダ装置１００では、コンテンツは、そのコンテンツの記録されている領域に関連付けられているマイディスクに対してのみ記録されることになる。すなわち、レコーダ装置１００では、コンテンツの記録を所望しない光ディスクに誤ってコンテンツを記録してしまうことを防止することができる。
【０２１７】
（同期処理前後での予約情報およびコンテンツの状態）
ここで、上述した同期処理の前後での予約情報およびコンテンツの状態を図２４および図２５を参照しつつ以下に説明する。図２４および図２５は、レコーダ装置１００における同期処理の前後での予約情報およびコンテンツの状態を示す図であり、図２４は同期処理前の状態であり、図２５は同期処理後の状態である。以下、同期処理前後における予約情報およびコンテンツの記録状態の変化について、ケース毎に分類して説明する。なお、図２４および図２５は便宜上示していないが、予約情報は記憶部２８０に記録されており、コンテンツは記憶部３４０に記録されている。また、図２４および図２５では、説明の便宜上、ディスク１に関連付けられた予約管理領域に記録されている予約情報のみを図示している。
【０２１８】
（ケース１：予約情報が一致し、コンテンツがレコーダ装置に記録されている場合）
まず、レコーダ装置１００に記録されている予約情報に一致する予約情報がディスク１に記録されており、かつ、その予約情報の指定するコンテンツがレコーダ装置１００に記録されている場合について、図２４に示す「予約１」を例に挙げて説明する。この場合、レコーダ装置１００の記憶部２８０に「予約１」が記録されており、「予約１」に基づいて録画されたコンテンツである「街歩き」が記憶部３４０に記録されている。
【０２１９】
ここで、図２４に示すように、「予約１」はディスク１に記録されており、かつ、「街歩き」が記憶部３４０に記録されているため、レコーダ装置１００は「街歩き」をディスク１に記録する。
【０２２０】
また、レコーダ装置１００は、記憶部２８０およびディスク１に記録されている「予約１」を消去すると共に、記憶部３４０から「街歩き」を消去する。
【０２２１】
これによって、同期処理後は、図２５に示すように、レコーダ装置１００の記憶部２８０およびディスク１から「予約１」が消去されると共に、レコーダ装置１００の記憶部３４０から「街歩き」が消去されている状態となる。そして、ディスク１に「街歩き」が記録されている状態となる。
【０２２２】
なお、図２４および図２５における予約ＩＤとは、予約情報とその予約情報の指定するコンテンツとを関連付けるための識別情報である。コンテンツの録画実行時刻は、先の番組が延長するなどの原因により変動する可能性がある。そのため、コンテンツを示す情報として、予約情報と同一の予約ＩＤを記録しておくことにより、予約情報における録画予定時刻と、コンテンツの録画実行時刻とが異なっている場合であっても、予約情報とコンテンツとの関連付けを行うことができる。
【０２２３】
（ケース２：予約情報が一致せず、コンテンツがレコーダ装置に記録されている場合）
次に、レコーダ装置１００に記録されている予約情報に一致する予約情報がディスク１に記録されていないが、その予約情報の指定するコンテンツがレコーダ装置１００に記録されている場合について、図２４に示す「予約２」を例に挙げて説明する。この場合、レコーダ装置１００の記憶部２８０に「予約２」が記録されており、「予約２」に基づいて録画されたコンテンツである「世界の車窓」が記憶部３４０に記録されている。しかし、図２４に示すように、「予約２」はディスク１に記録されていない。ただし、ディスク１には「世界の車窓」が記録されている。
【０２２４】
このケースとしては、ディスク１は他のレコーダ装置において「世界の車窓」を同期処理した場合が考えられる。
【０２２５】
この場合、予約情報が一致しないため、レコーダ装置１００は、記憶部２８０から「予約２」を消去する。また、記憶部３４０から「世界の車窓」を消去する。
【０２２６】
これによって、同期処理後は、図２５に示すように、レコーダ装置１００の記憶部２８０から「予約２」が消去されると共に、レコーダ装置１００の記憶部３４０から「世界の車窓」が消去されている状態となる。ディスク１の状態は変化しない。
【０２２７】
以上説明したように、レコーダ装置１００では、「予約２」を消去しておくことにより、既にディスク１に記録されているコンテンツである「世界の車窓」を再度ディスク１に記録する処理が生じることを避けることができる。
【０２２８】
（ケース３：予約情報が一致し、コンテンツがレコーダ装置に記録されていない場合）
続いて、レコーダ装置１００に記録されている予約情報に一致する予約情報がディスク１に記録されているが、その予約情報の指定するコンテンツがレコーダ装置１００に記録されていない場合について、図２４に示す「予約３」を例に挙げて説明する。ここで、「予約３」において設定されている録画予定日時は過去の日時であるものとする。
【０２２９】
この場合、レコーダ装置１００の記憶部２８０に「予約３」が記録されているが、「予約３」に基づいて録画されたコンテンツは記憶部３４０に記録されていない。
【０２３０】
このケースとしては、レコーダ装置１００において「予約３」により指定されるコンテンツの録画に失敗した場合が考えられる。
【０２３１】
この場合、予約情報は一致するものの、ディスク１に記録するためのコンテンツが記憶部３４０に記録されていないため、当然ながら「予約３」の指定するコンテンツの記録は実行されない。したがって、レコーダ装置１００は、記憶部２８０から「予約３」を消去する。
【０２３２】
ここで、「予約３」により指定されるコンテンツはディスク１に同期されていないため、ディスク１に記録されている「予約３」は消去しない。これによって、他のレコーダ装置で「予約３」により指定されるコンテンツが記録されていた場合に同期処理を実行することができる。
【０２３３】
これによって、図２５に示すように、レコーダ装置１００の記憶部２８０から「予約３」が消去される状態となる。ディスク１の状態は変化しない。
【０２３４】
なお、当然のことながら、「予約３」において設定されている録画予定日時が現在日時よりも未来の日時である場合には、予約情報は消去されることなくそのまま残される。現在日時は、レコーダ装置１００に搭載されているタイマーにおける日時情報から取得されるものとする。
【０２３５】
以上説明したように、レコーダ装置１００では、記憶部３４０にコンテンツの記録されていない「予約３」を消去しておくことにより、次にディスク１を装填した場合に再度「予約３」に対する処理が実行されることを避けることができる。すなわち、レコーダ装置１００では、次回以降、同期処理に要する時間が伸びることを防止することができる。
【０２３６】
（ケース４：予約情報が一致せず、コンテンツがディスクに記録されていない場合）
最後に、レコーダ装置１００に記録されている予約情報に一致する予約情報がディスク１に記録されておらず、その予約情報の指定するコンテンツがディスク１に記録されていない場合について、図２４に示す「予約４」を例に挙げて説明する。この場合、レコーダ装置１００の記憶部２８０に「予約４」が記録されているが、ディスク１には「予約４」および「予約４」の指定するコンテンツである「番組紹介」が記録されていない。
【０２３７】
このケースとしては、他のレコーダ装置においてディスク１に「番組紹介」を同期処理したが、レコーダ装置１００に装填する前にディスク１から「番組紹介」を消去してしまった場合が考えられる。
【０２３８】
この場合、予約情報が一致しないため、ケース２の場合と同様に、レコーダ装置１００は、記憶部２８０から「予約４」を消去する。また、記憶部３４０から「番組紹介」を消去する。
【０２３９】
これによって、同期処理後は、図２５に示すように、レコーダ装置１００の記憶部２８０から「予約４」が消去されると共に、レコーダ装置１００の記憶部３４０から「番組紹介」が消去されている状態となる。ディスク１の状態は変化しない。
【０２４０】
以上説明したように、レコーダ装置１００では、「予約４」を消去しておくことにより、既にディスク１から消去したコンテンツである「番組紹介」が再度ディスク１に記録されてしまうことを避けることができる。
【０２４１】
（スケジュール予約により記録されるコンテンツの同期処理）
上述した同期処理は、単一回の録画予約を実行する予約情報に基づいて記録されたコンテンツの処理である。ここで、単一回の録画予約を実行する予約情報とは異なり、スケジュール予約を実行する予約情報により記録されたコンテンツを同期処理する場合について以下に説明する。
【０２４２】
ここで、本明細書等における「スケジュール予約」とは、録画実行日時情報を複数含む予約情報を指すものとする。したがって、スケジュール予約における録画実行日時情報は、定期的な日時情報（例えば、毎日同一の時刻または毎週同一の時刻）であってもよいし、任意の日時情報であってもよい。
【０２４３】
スケジュール予約により記録されるコンテンツを同期処理する場合、レコーダ装置１００における記憶部２８０は、録画予約失敗情報を記録する領域を有している。録画予約失敗情報とは、スケジュール予約において録画が実行されなかった予約情報を示す情報である。
【０２４４】
なお、録画予約失敗情報は、先に説明した予約情報管理領域の一部として設けられていてもよいし、別の領域として記憶部２８０に設けられていてもよい。録画予約失敗情報を記録する領域が予約情報管理領域とは別の領域として設けられている場合には、予約情報管理領域と同様に、マイディスク毎に設けられている。
【０２４５】
また、スケジュール予約により記録されるコンテンツを同期処理する場合、光ディスクは同期管理情報を記録する領域を有している。
【０２４６】
同期管理情報は、同期処理を実行した最終日時を示す同期日時情報および同期処理を実行すべきコンテンツを指定する要同期コンテンツ情報を含む情報である。また、同期管理情報におけるこれらの情報は、スケジュール予約毎に情報が記録されている。すなわち、例えば、光ディスクに予約Ａおよび予約Ｂの２つのスケジュール予約が記録されている場合には、予約Ａおよび予約Ｂのそれぞれに同期管理情報として同期日時情報および要同期コンテンツ情報が記録されている。
【０２４７】
続いて、スケジュール予約により記録されるコンテンツの同期処理の詳細について、図２６および図２７を参照しつつ以下に説明する。図２６および図２７は、レコーダ装置１００おける同期処理の前後での予約情報およびコンテンツの状態を示す図であり、図２６はスケジュール予約により記録されたコンテンツの同期処理前の状態であり、図２７はスケジュール予約により記録されたコンテンツの同期処理後の状態である。なお、図２６および図２７には便宜上示していないが、予約情報は記憶部２８０に記録されており、コンテンツは記憶部３４０に記録されている。また、図２６および図２７では、説明の便宜上、ディスク１に関連付けられた予約管理領域に記録されている予約情報のみを図示している。
【０２４８】
図２６に示すように、レコーダ装置１００の記憶部２８０には、予約Ａ（毎週予約）および予約Ｂ（毎日予約）の２つの予約情報が記録されている。また、レコーダ装置１００の記憶部３４０には、予約Ａに基づいて記録されたコンテンツである「洋画劇場」（０９／０４／０２付）、ならびに、予約Ｂに基づいて記録されたコンテンツである「ドラマ」（０９／３／３１付）および「ドラマ」（０９／０４／０３付）が記録されている。
【０２４９】
また、ディスク１には、スケジュール予約としては、予約Ａ（毎週予約）および予約Ｂ（毎日予約）の２つの予約情報が記録されており、コンテンツとしては。予約Ａの指定するコンテンツである「洋画劇場」（０９／０３／２６付）が記録されている。
【０２５０】
スケジュール予約の場合であっても、レコーダ装置１００は上述した同期処理と同様に、記憶部２８０に記録されている予約情報に一致する予約情報が装填されているマイディスクに記録されているか否かを判定する処理（すなわち、ステップＳ１の処理）を実行する。以下、レコーダ装置１００において予約Ａが選択された場合の同期処理と、予約Ｂが選択された場合の同期処理をそれぞれ説明する。
【０２５１】
（ケース１：予約Ａの同期処理）
まず、レコーダ装置１００におけるバックエンド制御部２４０が、記憶部２８０に記録されているスケジュール予約のうち、予約Ａを選択した場合の同期処理を説明する。
【０２５２】
バックエンド制御部２４０は、予約Ａに一致するスケジュール予約がディスク１に記録されていると判定し、ディスク１から予約Ａに関する同期管理情報を読み出すようにドライブ部３００に指示する。指示を受けたドライブ部３００が同期管理情報をディスク１から読み出すと、バックエンド制御部２４０は読み出された同期管理情報における同期日時情報（図２６における最終同期日時；０９／０３／２６）よりも後に録画が実行されたコンテンツである「洋画劇場」（０９／０４／０２付）をドライブ部３００から読み出す。
【０２５３】
バックエンド制御部２４０は、読み出された「洋画劇場」（０９／０４／０２付）をディスク１に記録するようにドライブ部３００に対して指示する。指示を受けたドライブ制御部３２０は、ディスク１に「洋画劇場」（０９／０４／０２付）を記録する。ドライブ制御部３２０は、ディスク１への「洋画劇場」（０９／０４／０２付）の記録が完了すると、「洋画劇場」（０９／０４／０２付）を記憶部３４０から消去する。
【０２５４】
また、バックエンド制御部２４０は、ディスク１に対して同期処理を実行した日時情報を記録するようにドライブ部３００に指示する。ドライブ部３００におけるドライブ制御部３２０はディスク１の同期管理情報における最終同期日時の情報を更新する。更新する日時情報は、レコーダ装置１００におけるタイマーの示す日時情報とする。
【０２５５】
このとき、バックエンド制御部２４０は、単一回の予約情報の場合と異なり、予約Ａを記憶部２８０およびディスク１から消去しない。
【０２５６】
このような処理により、図２７に示すように、レコーダ装置１００からは「洋画劇場」（０９／０４／０２付）が消去され、ディスク１に「洋画劇場」（０９／０４／０２付）が記録されている状態となる。また、予約Ａの最終同期日時が図２７に示すように、（０９／０４／０２）に更新される。
【０２５７】
（ケース２：予約Ｂの同期処理）
次に、レコーダ装置１００におけるバックエンド制御部２４０が、記憶部２８０に記録されているスケジュール予約のうち、予約Ｂを選択した場合の同期処理を説明する。
【０２５８】
予約Ｂが選択された場合も、予約Ａの場合と同様に、バックエンド制御部２４０は、予約Ｂに一致するスケジュール予約がディスク１に記録されていると判定し、ディスク１から予約Ｂに関する同期管理情報を読み出すようにドライブ部３００に指示する。指示を受けたドライブ部３００が同期管理情報をディスク１から読み出すと、バックエンド制御部２４０は読み出された同期管理情報における同期日時情報（図２６における最終同期日時；０９／０４／０１）よりも後に録画が実行されたコンテンツである「ドラマＷ」（０９／０４／０３付）をドライブ部３００から読み出して、ディスク１に記録する。この処理は先に述べた予約Ａの同期処理と同一であるため、ここではその説明を省略する。
【０２５９】
ディスク１に記録されている同期管理情報には、要同期コンテンツ情報（図２６における要同期コンテンツの日時情報；０９／０３／３１）が含まれているため、バックエンド制御部２４０は、要同期コンテンツ情報として記録されている日付（０９／０３／３１）に録画が実行された「ドラマＷ」があるか否かを判定する。
【０２６０】
図２６に示すように、レコーダ装置１００の記憶部３４０には、「ドラマＷ」（０９／０３／３１付）が記録されているため、バックエンド制御部２４０は「ドラマＷ」（０９／０３／３１付）をドライブ部３００から読み出す。そして、バックエンド制御部２４０は、ディスク１に記録するようにドライブ部３００に対して指示する。
【０２６１】
指示を受けたドライブ部３００におけるドライブ制御部３２０は、ディスク１に「ドラマＷ」（０９／０３／３１付）を記録する。ドライブ制御部３２０は、ディスク１への「ドラマＷ」（０９／０３／３１付）の記録が完了すると、「ドラマＷ」（０９／０３／３１付）を記憶部３４０から消去する。
【０２６２】
バックエンド制御部２４０は、ディスク１の同期管理情報における要同期コンテンツ情報のうち、（０９／０３／３１）の情報を消去するようにドライブ部３００に指示する。そして、指示を受けたドライブ部３００におけるドライブ制御部３２０は、ディスク１から要同期コンテンツ情報のうち、コンテンツの同期処理を実行した（０９／０３／３１）の情報を消去する。
【０２６３】
このとき、バックエンド制御部２４０は、予約Ａの場合と同様に、予約Ｂを記憶部２８０およびディスク１から消去しない。
【０２６４】
このような処理により、図２７に示すように、レコーダ装置１００からは「「ドラマＷ」（０９／０３／３１付）および「ドラマＷ」（０９／０４／０３付）が消去され、ディスク１に「ドラマＷ」（０９／０３／３１付）および「ドラマＷ」（０９／０４／０３付）が記録されている状態となる。また、予約Ｂの同期管理情報における最終同期日時が（０９／０４／０３）に更新されると共に、要同期コンテンツ情報の（０９／０３／３１）が消去される。
【０２６５】
以上説明したように、レコーダ装置１００では、スケジュール予約の場合であっても、記憶部２８０に記録されている予約情報と、マイディスクに記録されている予約情報とが一致するか否かを判定する。また、スケジュール予約の場合には、コンテンツの録画が実行された録画実行日時が同期管理情報における最終同期日時よりも後であるか否かを判定する。すなわち、予約情報がスケジュール情報である場合には、レコーダ装置１００は、上記の２つを判定することにより、同期処理すべきコンテンツを検出する。
【０２６６】
ここで、マイディスクに記録されている予約情報とが一致するか否かを判定すると共に、コンテンツの録画が実行された録画実行日時が同期管理情報における最終同期日時よりも後であるか否かを判定するために要する時間は、コンテンツのデータ自体を比較する場合と比較して短い。
【０２６７】
したがって、レコーダ装置１００は、予約情報がスケジュール予約の場合であっても、記憶部３４０に記録されているコンテンツの同期処理に要する時間を短縮することができる。
【０２６８】
さらに、同期管理情報における最終同期日時を同期処理を実行した日時に更新しておくことにより、既に同期処理を行ったコンテンツが再度マイディスクに記録されてしまうことを容易に避けることができる。
【０２６９】
また、レコーダ装置１００では、同期管理情報における最終同期日時よりも前の日時に録画の実行されるコンテンツであってもマイディスクにそのコンテンツが記録されていない場合には、そのコンテンツを指定する予約情報が記憶部２８０に記録されており、そのコンテンツが記憶部３４０に記録されているか否かを判定することにより、同期処理すべきコンテンツとして検出する。
【０２７０】
これによって、同期管理情報における最終同期日時よりも前の日時に録画の実行されるコンテンツが記録されていない場合であっても、そのコンテンツを同期処理することができる。
【０２７１】
（要同期コンテンツ情報の記録処理）
続いて、ディスクに記録されている同期管理情報における要同期コンテンツ情報の記録処理について、図２６および図２７を参照しつつ以下に説明する。ここでは、図２６および図２７における予約Ｂの場合を例に挙げて説明する。
【０２７２】
レコーダ装置１００は、予約Ｂに基づいて録画されるコンテンツである「ドラマＷ」（０９／０４／０２付）の録画が失敗した場合、図２６に示すように、録画が実行されるべき日時情報である（０９／０４／０２）を録画予約失敗情報として記録する。このとき、録画予約失敗情報は、予約情報毎に日時情報が記録される。すなわち、予約Ｂに基づく録画の失敗した日時情報は、予約Ｂを示す予約ＩＤ「ＪＫＬＭ」に関連付けて記録される。
【０２７３】
レコーダ装置１００におけるバックエンド制御部２４０は、記憶部２８０に録画予約失敗情報が記録されている場合、録画予約失敗情報として記録されている日時情報を、同期管理情報における要同期コンテンツ情報としてディスク１に記録するようにドライブ部３００に指示する。指示を受けたドライブ部３００におけるドライブ制御部３２０は、要同期コンテンツ情報を記録する。
【０２７４】
このとき、図２７に示すように、同期管理情報として記録される日時情報は、予約Ｂの予約ＩＤ「ＪＫＬＭ」に関連付けて記録される。
【０２７５】
また、バックエンド制御部２４０は、記憶部２８０から録画予約失敗情報として記録されていた日時情報である（０９／０４／０２）を消去する。
【０２７６】
これによって、例えばディスク１を他のレコーダ装置に装填した際に、そのレコーダ装置に「ドラマＷ」（０９／０４／０２付）が記録されていた場合には、ディスク１に「ドラマＷ」（０９／０４／０２付）を同期処理することができる。
【０２７７】
なお、要同期コンテンツ情報をディスク１に記録する処理は、全てのスケジュール予約に関する同期処理が終了した後に実行するようにすればよい。
【０２７８】
このように、レコーダ装置１００は、自装置において録画に失敗したコンテンツを他のレコーダ装置において記録できるようにマイディスクを設定することができる。
【０２７９】
（付記事項）
ここで、上述した同期処理の説明では、単一回の予約情報とスケジュール予約とを別々の処理として述べているが、もちろん双方が混在している場合であっても同期処理を実行することができる。具体的には、バックエンド制御部２４０は、図２３におけるステップＳ１の前に選択した予約情報がスケジュール予約であるのか単一回の予約情報であるのかを判定するようにすればよい。バックエンド制御部２４０は、単一回の予約情報である場合には、単一回の予約情報の場合の同期処理を実行し、スケジュール予約の場合には、スケジュール予約の場合の同期処理を実行するようにすればよい。
【０２８０】
また、本実施形態では、予約情報が記憶部２８０に記録されている場合を例に挙げて説明しているが、記憶部３４０に記録されるようにしてもよい。この場合、レコーダ装置１００において録画予約を設定すると、設定された情報に基づいた予約情報がインターフェース部２９０を介してドライブ部３００に出力する。ドライブ部３００におけるドライブ制御部３２０は、記憶部３４０において設けられた予約情報管理領域に予約情報を記録するようにする。
【０２８１】
また、インターフェース部２９０の代わりにバックエンド部２００とドライブ部３００との間で予約情報をやり取りするための新たなインターフェースを新たに設けてもよい。
【０２８２】
（マイディスク機能を有していないレコーダ装置の場合の処理）
上述した実施形態では、光ディスクをマイディスクとして登録し、マイディスクとして登録された光ディスクに対する録画再生および編集機能を有しているレコーダ装置１００（マイディスク機能を有するレコーダ装置１００とも称する）を例に挙げて説明しているが、もちろんそれに限定されるものではない。マイディスク機能を有していないレコーダ装置であっても、本発明に係る同期処理を実現することができる。
【０２８３】
マイディスク機能を有していないレコーダ装置の場合、バックエンド制御部がドライブ制御部の機能についても有していることになる。また、コンテンツを記録する記憶部３４０は、バックエンド部２００に接続されていることになる。
【０２８４】
まず、光ディスクがドライブ部に装填されると、バックエンド制御部は、予約情報を記憶している記憶部（予約情報記録部）から予約情報を１つ選択する。バックエンド制御部は、選択した予約情報に一致する予約情報が光ディスク上に記録されているか否かを判定する。
【０２８５】
選択した予約情報に一致する予約情報が光ディスクに記録されている場合、バックエンド制御部は、選択した予約情報により指定されるコンテンツをコンテンツを記録している記憶部（コンテンツ記憶部）から読み出して、光ディスクに記録する。バックエンド制御部は、光ディスクへのコンテンツの記録が完了すると、光ディスクに記録したコンテンツをコンテンツ記憶部から消去する。
【０２８６】
一方、選択した予約情報に一致する予約情報が光ディスクに記録されていない場合、バックエンド制御部は、コンテンツ記憶部からコンテンツを消去する。
【０２８７】
続いて、バックエンド制御部は、選択した予約情報を予約情報記録部から消去する。
【０２８８】
そして、予約情報記録部に記録されている全ての予約情報に対する処理が終了すると、バックエンド制御部はコンテンツの同期処理を終了する。予約情報記録部に記録されている全ての予約情報に対する処理が終了していない場合には、バックエンド制御部は次の予約情報を選択して、再度同期処理処理を実行する。
【０２８９】
以上説明したように、マイディスク機能を有していないレコーダ装置であっても、コンテンツ記憶部に記録されている予約情報と、装填されている光ディスクに記録されている予約情報とが一致するか否かを判定することにより、同期処理するべきコンテンツを検出する。これによって、マイディスク機能を有していないレコーダ装置であっても、コンテンツ記憶部に記録されているコンテンツの同期処理に要する時間を短縮することができる。
【０２９０】
なお、選択した予約情報がスケジュール予約の場合であっても、マイディスク機能を有しているレコーダ装置と同様の処理を実現することができる。
【０２９１】
〔他の変形例〕
本発明に係る第１の番組記録装置は、予約情報記録部に記録されている録画予約情報により指定された指定番組を着脱不能な記録媒体に録画する録画手段と、上記指定番組を指定する録画予約情報が着脱可能な記録媒体に記録されており、当該指定番組が上記着脱不能な記録媒体に記録されている場合、当該指定番組を上記着脱可能な記録媒体に記録する記録手段と、上記記録手段により上記着脱可能な記録媒体に記録された上記指定番組を指定する録画予約情報を上記予約情報記録部から消去する消去手段と、を備えている。
【０２９２】
本発明に係る第１の番組記録装置では、予約情報記録部に記録されている録画予約情報が着脱可能な記録媒体に記録されており、その録画予約情報により指定される指定番組が着脱不能な記録媒体に記録されている場合、その指定番組を着脱可能な記録媒体に記録する。
【０２９３】
このように、本発明に係る第１の番組記録装置では、予約情報記録部に記録されている録画予約情報と、着脱可能な記録媒体に記録されている録画予約情報とが一致するか否かを判定することにより、着脱可能な記録媒体に記録するべき番組を検出している。
【０２９４】
ここで、予約情報記録部に記録されている録画予約情報に一致する録画予約情報が着脱可能な記録媒体に記録されているか否かを判定するために要する時間は、番組（コンテンツ）のデータ自体を比較する場合に要する時間と比較して短い。
【０２９５】
したがって、本発明に係る第１の番組記録装置では、着脱不能な記録媒体に記録されている番組を着脱可能な記録媒体に記録する際に要する時間を短縮することができる効果を奏する。
【０２９６】
また、本発明に係る第１の番組記録装置では、着脱可能な記録媒体に記録された指定番組を指定する録画予約情報を予約情報記録部から消去する。これによって、本発明に係る第１の番組記録装置では、既に着脱可能な記録媒体に記録された番組が再度記録されてしまうことを容易に回避することができる効果も併せて奏する。
【０２９７】
本発明に係る番組記録装置では、着脱可能な記録媒体と上記着脱不能な記録媒体上の記録領域とを関連付けて登録する登録手段をさらに備えており、上記録画予約情報は、予め登録されている着脱可能な記録媒体を番組の録画先として指定するための記録媒体指定情報を含み、上記録画手段は、上記録画予約情報に含まれる記録媒体指定情報により指定される着脱可能な記録媒体に関連付けられている記録領域に上記指定番組を録画し、上記記録手段は、上記予約情報記録部に記録されている録画予約情報のうち、上記指定番組を記録する対象となる着脱可能な記録媒体を指定する記録媒体指定情報を含む録画予約情報であって、当該指定番組を指定する録画予約情報が記録されており、当該指定番組が上記着脱不能な記録媒体に記録されている場合、当該指定番組を上記着脱可能な記録媒体に記録することが好ましい。
【０２９８】
上記の構成によれば、指定番組は記録媒体指定情報に関連付けられた記録領域に録画され、録画された指定番組は指定番組を録画する際の記録媒体指定情報により指定される着脱可能な記録媒体に対してのみ記録される。
【０２９９】
これによって、本発明に係る第１の番組記録装置では、着脱不能な記録媒体に記録されている指定番組は、指定番組の録画予約を設定する際に予め定めた着脱可能な記録媒体のみに記録されることになる。すなわち、本発明に係る番組記録装置では、指定番組の記録を所望しない着脱可能な記録媒体に指定番組が記録されてしまうことを避けることができる効果を奏する。
【０３００】
本発明に係る番組記録装置では、さらに、上記指定番組を指定する録画予約情報が上記着脱可能な記録媒体に記録されていない場合、上記消去手段は、上記録画予約情報を上記予約情報記録部から消去することが好ましい。
【０３０１】
上記の構成によれば、予約情報記録部に記録されている録画予約情報は、予約情報記録部に記録されている録画予約情報に一致する録画予約情報が着脱可能な記録媒体に記録されていない場合に消去される。
【０３０２】
これは、他の番組記録装置において既に指定番組が着脱可能な記録媒体に記録されており、着脱可能な記録媒体からその指定番組を指定する録画予約情報が消去されていると考えられるためである。
【０３０３】
これによって、本発明に係る第１の番組記録装置では、既に着脱可能な記録媒体に記録されている番組を再度着脱可能な記録媒体に記録する処理が生じることを避けることができる。すなわち、本発明に係る第１の番組記録装置では、消去したはずの番組が着脱可能な記録媒体に再度記録されてしまうことを防止することができる効果を奏する。
【０３０４】
本発明に係る番組記録装置では、さらに、上記指定番組を指定する録画予約情報が記録されており、当該指定番組が上記着脱不能な記録媒体に記録されておらず、当該指定番組の録画予定日時が現在日時よりも過去の日時である場合、上記消去手段は、上記録画予約情報を上記予約情報記録部から消去することが好ましい。
【０３０５】
上記の構成によれば、予約情報記録部に記録されている録画予約情報は、予約情報記録部に記録されている録画予約情報に一致する録画予約情報が着脱可能な記録媒体に記録されているが、その録画予約情報の指定する指定番組が着脱不能な記録媒体に記録されておらず、かつ、その録画予約情報の指定する指定番組の録画予定日時が過去の日時である場合に消去される。
【０３０６】
これは、番組記録装置において録画予約情報の指定する指定番組の録画に失敗したと考えられるためである。
【０３０７】
これによって、本発明に係る第１の番組記録装置では、記録対象となる番組が存在しない録画予約情報が着脱可能な記録媒体に記録されているか否かの判定を再度行うことを避けることができる。すなわち、本発明に係る第１の番組記録装置では、次回以降、着脱不能な記録媒体から着脱可能な記録媒体に番組を記録するために要する時間が伸びることを防止することができる効果を奏する。
【０３０８】
本発明に係る番組記録装置では、さらに、上記消去手段は、上記記録手段により上記着脱可能な記録媒体に記録された上記指定番組を指定する録画予約情報を上記予約情報記録部に加えて、上記着脱可能な記録媒体からも消去することが好ましい。
【０３０９】
上記の構成によれば、着脱可能な記録媒体に指定番組を記録した場合には、着脱可能な記録媒体からもその指定番組を指定する録画予約情報を消去する。
【０３１０】
これによって、本発明に係る第１の番組記録装置では、指定番組が記録されている他の番組記録装置に装着した場合に、既に記録されている指定番組が再度記録されてしまうことを避けることができる効果を奏する。
【０３１１】
また、着脱可能な記録媒体において録画予約情報を記録する領域が一杯となるのを避けることもできる。
【０３１２】
本発明に係る第２の番組記録装置は、予約情報記録部に記録されている録画予約情報であって、番組を録画する日時情報を複数含む録画予約情報により指定された指定番組を着脱不能な記録媒体に録画する録画手段と、上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録手段と、上記記録情報を上記指定番組を記録した日時を表す記録情報に更新する更新手段と、を備えている。
【０３１３】
本発明に係る第２の番組記録装置では、予約情報記録部に記録されている録画予約情報が着脱可能な記録媒体に記録されており、その録画予約情報により指定される指定番組が着脱不能な記録媒体に記録されており、かつ、その指定番組の録画実行日時が記録情報の表す日時よりも後である場合、その指定番組を着脱可能な記録媒体に記録する。
【０３１４】
このように、本発明に係る第２の番組記録装置では、予約情報記録部に記録されている録画予約情報と、着脱可能な記録媒体に記録されている録画予約情報とが一致するか否かを判定すると共に、指定番組の録画実行日時が記録情報の表す日時よりも後であるか否かを判定することにより、着脱可能な記録媒体に記録するべき番組を検出している。
【０３１５】
ここで、予約情報記録部に記録されている録画予約情報に一致する録画予約情報が着脱可能な記録媒体に記録されているか否かを判定すると共に、指定番組の録画実行日時が記録情報の表す日時よりも後であるか否かを判定するために要する時間は、番組のデータ自体を比較する場合に要する時間と比較して短い。
【０３１６】
したがって、本発明に係る第２の番組記録装置は、着脱不能な記録媒体に記録されている番組を着脱可能な記録媒体に記録する際に要する時間を短縮することができる効果を奏する。
【０３１７】
また、本発明に係る第２の番組記録装置では、着脱可能な記録媒体に記録されている記録情報を指定番組を記録した日時に更新する。これによって、本発明に係る第２の番組記録装置では、既に着脱可能な記録媒体に記録された番組が再度記録されてしまうことを容易に回避することができる効果も併せて奏する。
【０３１８】
本発明に係る番組記録装置では、さらに、上記着脱可能な記録媒体は、上記録画予約情報に基づいて録画される番組のうち、上記記録情報よりも前の日時に録画の実行される番組であって、上記着脱不能な記録媒体から記録していない番組を表す要記録情報を記録しており、上記記録手段は、上記要記録情報により指定される要記録番組を指定する録画予約情報が上記予約情報記録部に記録されており、当該要記録番組が上記着脱不能な記録媒体に記録されている場合、当該要記録番組を上記着脱可能な記録媒体に記録し、上記更新手段は、上記記録情報の更新に加えて、上記要記録番組を指定する要記録情報を消去することが好ましい。
【０３１９】
上記の構成によれば、要記録情報により表される要記録番組を指定する録画予約情報が予約情報記録部に記録されており、その要記録番組が着脱不能な記録媒体に記録されている場合、その要記録番組を着脱可能な記録媒体に記録する。
【０３２０】
このように、本発明に係る第２の番組記録装置では、記録情報よりも前の日時に録画の実行される番組であっても、その番組を指定する録画予約情報が予約情報記録部に記録されており、その要記録番組が着脱不能な記録媒体に記録されているか否かを判定することにより、着脱可能な記録媒体に記録すべき番組として検出している。
【０３２１】
これによって、記録情報よりも前の日時に録画の実行される番組であって、着脱可能な記録媒体にその番組が記録されていない番組を着脱可能な記録媒体に記録することができる効果を奏する。
【０３２２】
本発明に係る番組記録装置では、さらに、上記録画予約情報に基づいて録画される番組のうち、上記着脱不能な記録媒体に録画されていない番組を表す録画失敗情報を記録している録画情報記録部と、上記録画情報記録部に記録されている録画失敗情報の表す録画失敗番組を指定する録画予約情報を記録した着脱可能な記録媒体に対して、当該録画失敗情報を上記要記録情報として書き込む書込手段と、をさらに備えていることが好ましい。
【０３２３】
上記の構成によれば、録画失敗情報は、その録画失敗情報の表す録画失敗番組を指定する録画予約情報を記録した着脱可能な記録媒体に対して要記録情報として書き込まれる。
【０３２４】
このように、本発明に係る第２の番組記録装置は、自装置において録画失敗した番組を指定する情報を着脱可能な記録媒体に要記録情報として書き込むことができる。
【０３２５】
これによって、本発明に係る第２の番組記録装置は、自装置において録画に失敗した番組を他の番組記録装置において記録できるように着脱可能な記録媒体を設定することができる効果を奏する。
【０３２６】
また、本発明に係る番組記録装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【０３２７】
（プログラムおよび記録媒体）
レコーダ装置１００に含まれているバックエンド制御部２４０およびドライブ制御部３２０は、ハードウェアロジックによって構成すればよい。または、次のように、ＣＰＵ（Central Processing Unit）を用いてソフトウェアによって実現してもよい。
【０３２８】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０３２９】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０３３０】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０３３１】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０３３２】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０３３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３３４】
本発明に係る番組記録装置は、ＢＤレコーダまたはＤＶＤレコーダとして好適に利用することができる。また、本発明に係る番組記録装置は、テレビジョン受像機に搭載する場合であっても好適に利用することができる。
【符号の説明】
【０３３５】
１００      レコーダ装置（番組記録装置）
２００      バックエンド部
２１０      チューナー部
２２０      エンコーダ部
２３０      ストリーム処理部
２４０      バックエンド制御部（録画手段、記録手段、消去手段、登録手段、更新手段、書込手段）
２５０      バッファ部
２６０      デコーダ部
２７０      画像処理部
２８０      記憶部（予約情報記録部、録画情報記録部）
２９０      インターフェース部
３００      ドライブ部
３１０      インターフェース部
３２０      ドライブ制御部
３３０      ディスクドライブ部
３４０      記憶部（着脱不能な記録媒体）
【図１】
2011030648.tif 000003
【図２】
2011030648.tif 000004
【図３】
2011030648.tif 000005
【図４】
2011030648.tif 000006
【図５】
2011030648.tif 000007
【図６】
2011030648.tif 000008
【図７】
2011030648.tif 000009
【図８】
2011030648.tif 000010
【図９】
2011030648.tif 000011
【図１０】
2011030648.tif 000012
【図１１】
2011030648.tif 000013
【図１２】
2011030648.tif 000014
【図１３】
2011030648.tif 000015
【図１４】
2011030648.tif 000016
【図１５】
2011030648.tif 000017
【図１６】
2011030648.tif 000018
【図１７】
2011030648.tif 000019
【図１８】
2011030648.tif 000020
【図１９】
2011030648.tif 000021
【図２０】
2011030648.tif 000022
【図２１】
2011030648.tif 000023
【図２２】
2011030648.tif 000024
【図２３】
2011030648.tif 000025
【図２４】
2011030648.tif 000026
【図２５】
2011030648.tif 000027
【図２６】
2011030648.tif 000028
【図２７】
2011030648.tif 000029
【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
予約情報記録部に記録されている録画予約情報により指定された指定番組を着脱不能な記録媒体に録画する録画手段と、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録手段と、
上記記録手段により上記着脱可能な記録媒体に記録された上記指定番組を指定する録画予約情報を上記予約情報記録部から消去する消去手段と、を備え、
上記指定番組を指定する録画予約情報が上記着脱可能な記録媒体に記録されていない場合、上記消去手段は、上記録画予約情報を上記予約情報記録部から消去することを特徴とする番組記録装置。
【請求項２】
着脱可能な記録媒体と上記着脱不能な記録媒体上の記録領域とを関連付けて登録する登録手段をさらに備えており、
上記録画予約情報は、予め登録されている着脱可能な記録媒体を番組の録画先として指定するための記録媒体指定情報を含み、
上記録画手段は、上記録画予約情報に含まれる記録媒体指定情報により指定される着脱可能な記録媒体に関連付けられている記録領域に上記指定番組を録画し、
上記記録手段は、上記予約情報記録部に記録されている録画予約情報のうち、上記指定番組を記録する対象となる着脱可能な記録媒体を指定する記録媒体指定情報を含む録画予約情報であって、当該指定番組を指定する録画予約情報が記録されており、当該指定番組が上記着脱不能な記録媒体に記録されている場合、当該指定番組を上記着脱可能な記録媒体に記録することを特徴とする請求項１に記載の番組記録装置。
【請求項３】
（削除）
【請求項４】
上記指定番組を指定する録画予約情報が上記予約情報記録部に記録されており、当該指定番組が上記着脱不能な記録媒体に記録されておらず、当該指定番組の録画予定日時が現在日時よりも過去の日時である場合、上記消去手段は、上記録画予約情報を上記予約情報記録部から消去することを特徴とする請求項１または２に記載の番組記録装置。
【請求項５】
上記消去手段は、上記記録手段により上記着脱可能な記録媒体に記録された上記指定番組を指定する録画予約情報を、上記予約情報記録部に加えて、上記着脱可能な記録媒体からも消去することを特徴とする請求項１または２に記載の番組記録装置。
【請求項６】
予約情報記録部に記録されている録画予約情報であって、番組を録画する日時情報を複数含む録画予約情報により指定された指定番組を着脱不能な記録媒体に録画する録画手段と、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録手段と、
上記記録情報を上記指定番組を記録した日時を表す記録情報に更新する更新手段と、
を備えていることを特徴とする番組記録装置。
【請求項７】
上記着脱可能な記録媒体は、上記録画予約情報に基づいて録画される番組のうち、上記記録情報よりも前の日時に録画の実行される番組であって、上記着脱不能な記録媒体から記録していない番組を表す要記録情報を記録しており、
上記記録手段は、上記要記録情報により指定される要記録番組を指定する録画予約情報が上記予約情報記録部に記録されており、当該要記録番組が上記着脱不能な記録媒体に記録されている場合、当該要記録番組を上記着脱可能な記録媒体に記録し、
上記更新手段は、上記記録情報の更新に加えて、上記要記録番組を指定する要記録情報を消去することを特徴とする請求項６に記載の番組記録装置。
【請求項８】
上記録画予約情報に基づいて録画される番組のうち、上記着脱不能な記録媒体に録画されていない番組を表す録画失敗情報を記録している録画情報記録部と、
上記録画情報記録部に記録されている録画失敗情報の指定する録画失敗番組を指定する録画予約情報を記録した着脱可能な記録媒体に対して、当該録画失敗情報を上記要記録情報として書き込む書込手段と、
をさらに備えていることを特徴とする請求項７に記載の番組記録装置。
【請求項９】
予約情報記録部に記録されている録画予約情報により指定された指定番組を着脱不能な記録媒体に録画する録画ステップと、
上記指定番組を指定する録画予約情報が着脱可能な記録媒体に記録されており、当該指定番組が上記着脱不能な記録媒体に記録されている場合、当該指定番組を上記着脱可能な記録媒体に記録する記録ステップと、
上記記録ステップにおいて上記着脱可能な記録媒体に記録された上記指定番組を指定する録画予約情報を上記予約情報記録部から消去する消去ステップと、を含み、
上記消去ステップでは、上記指定番組を指定する録画予約情報が上記着脱可能な記録媒体に記録されていない場合、上記録画予約情報を上記予約情報記録部から消去することを特徴とする番組同期方法。
【請求項１０】
予約情報記録部に記録されている録画予約情報であって、番組を録画する日時情報を複数含む録画予約情報により指定された指定番組を着脱不能な記録媒体に録画する録画ステップと、
上記指定番組を指定する録画予約情報が、上記録画予約情報に基づいて録画される番組を最後に記録した日時を表す記録情報を有する着脱可能な記録媒体に記録されており、当該指定番組が上記着脱不能な記録媒体に記録されており、当該指定番組の録画実行日時が上記記録情報の表す日時よりも後である場合、当該指定番組を上記着脱可能な記録媒体に記録する記録ステップと、
上記記録情報を上記指定番組を記録した日時を表す記録情報に更新する更新ステップと、
を含むことを特徴とする番組同期方法。
【請求項１１】
請求項１、２、６、７および８のいずれか１項に記載の番組記録装置が備えているコンピュータを動作させるプログラムであって、上記コンピュータを上記の各手段として機能させるためのプログラム。
【請求項１２】
請求項１１に記載のプログラムを記録しているコンピュータ読み取り可能な記録媒体。
【国際調査報告】
2011030648.tif 000030
2011030648.tif 000031
2011030648.tif 000032
2011030648.tif 000033